(57)【要約】【課題】寸法精度を維持しつつ鍛造用金型を強化することができる強化技術を提供することを課題とする。【解決手段】リングパンチ３４は、中心に円筒穴３６を有し、この円筒穴３６を囲う円周上に交互に配置される成形凸部３２と成形凹部３３とを備える。成形凸部３２に成形凸部３２より硬度の高いピン５０が埋設されている。【効果】成形凸部３２より硬度の高いピン５０を成形凸部３２に付加するため、ピン５０が補強作用を発揮し、成形凸部３２を強化する。【選択図】図３
2015193008.tif 000002
【特許請求の範囲】
【請求項１】
周方向に成形凹部と成形凸部とが交互に配置されている鍛造用金型を強化する金型強化方法であって、
前記成形凸部に穴を開ける穴開け工程と、
前記成形凸部より硬度の高いピンを前記穴に嵌めるピン嵌め工程とを前記鍛造用金型へ施すことを特徴とする金型強化方法。
【請求項２】
前記穴開け工程では、前記穴はレーザ加工で開けることを特徴とする請求項１記載の金型強化方法。
【請求項３】
前記ピン嵌め工程では、前記ピンの少なくも一端が前記成形凸部から突出しており、
この突出部分を除去する除去工程が、前記ピン嵌め工程の後で実施されることを特徴とする請求項１又は請求項２記載の金型強化方法。
【請求項４】
周方向に成形凹部と成形凸部とが交互に配置されている鍛造用金型であって、
前記成形凸部に穴が設けられ、前記穴には、前記成形凸部より硬度の高いピンが嵌められていることを特徴とする鍛造用金型。
【請求項５】
前記ピンの外径と前記穴の径は同じ大きさであることを特徴とする請求項４記載の鍛造用金型。
【請求項６】
前記穴は、前記成形凸部を貫通する貫通穴であることを特徴とする請求項４又は請求項５記載の鍛造用金型。
【請求項７】
前記ピンは、一端に円錐部を有する尖り先ピンであることを特徴とする請求項４〜６のいずれか１項記載の鍛造用金型。
【請求項８】
前記鍛造用金型は、中心に円筒穴を有し、前記成形凹部と前記成形凸部は前記円筒穴を囲むように配置され、且つ前記円筒穴の中心を通る中心軸に対して前記貫通穴の中心軸が３０°〜６０°の範囲から選択される傾斜角で傾斜しており、前記円錐部の円錐角は前記傾斜角の２倍に設定されていることを特徴とする請求項７項記載の鍛造用金型。
【請求項９】
前記穴は、底部を有する非貫通穴であり、前記ピンは丸先ピンであることを特徴とする請求項４又は請求項５記載の鍛造用金型。
【請求項１０】
前記鍛造用金型は、かさ歯車の鍛造に供する金型であり、前記ピンは前記かさ歯車のピッチ円上に配置されていることを特徴とする請求項４〜９のいずれか１項記載の鍛造用金型。
【発明の詳細な説明】
【技術分野】
【０００１】
本発明は、かさ歯車の鍛造に好適な鍛造用金型に関する。
【背景技術】
【０００２】
駆動軸と従動軸が直交又は交差している部位に、かさ歯車が用いられる。かさ歯車は削り出しにより製造される他、鍛造でも製造される。鍛造は金型が必須であるが、大量生産であれば製造コストの低減が図れる。鍛造用金型は各種の構造のものが知られている（例えば、特許文献１（図１）参照。）。
【０００３】
特許文献１の図１Ｂに示されるように、周方向に歯形成形部（１２）（括弧付き数字は、特許文献１に記載された符号を示す。以下同様）と製品の歯底を成形する凸部（１４）とが交互に配置されている。鍛造の際には大きな圧力や摩擦が歯形成形部（１２）及び凸部（１４）にが加わるため、金型の寿命は短くなる。金型は高価であるため、寿命を延ばすことが望まれる。
【０００４】
寿命を延ばす対策を講じた金型構造が各種提案されてきた（例えば、特許文献２（図１１）参照。）。
【０００５】
特許文献２の図１１に示されるように、補強ケース（２）（括弧付き数字は、特許文献２に記載された符号を示す。以下同様）に軸圧入穴（２４）を開設し、該軸圧入穴（２４）に軸（２５）を圧入して、補強ケース（２）の内径を小さくする。必然的に補強ケース（２）の外径が大きくなる。
【０００６】
補強ケース（２）の内径及び外径が変化する程の圧入を行うと、軸（２５）の軸力が大きくなり、軸（２５）が曲がることや、倒れる心配がある。よって、高度な圧入技術が求められ、圧入工数が嵩む。
特許文献２の技術より、容易に金型を強化することができる技術が求められる。
【先行技術文献】
【特許文献】
【０００７】
【特許文献１】特開平６−１９８３８１号公報
【特許文献２】特許第２６２４６２９号公報
【発明の概要】
【発明が解決しようとする課題】
【０００８】
本発明は、容易に鍛造用金型を強化することができる強化技術を提供することを課題とする。
【課題を解決するための手段】
【０００９】
請求項１に係る発明は、周方向に成形凹部と成形凸部とが交互に配置されている鍛造用金型を強化する金型強化方法であって、
前記成形凸部に穴を開ける穴開け工程と、前記成形凸部より硬度の高いピンを前記穴に嵌めるピン嵌め工程とを前記鍛造用金型へ施すことを特徴とする。
【００１０】
請求項２に係る発明は、穴開け工程で、穴はレーザ加工で開けることを特徴とする。
【００１１】
請求項３に係る発明は、ピン嵌め工程で、ピンの少なくも一端が前記成形凸部から突出しており、この突出部分を除去する除去工程が、ピン嵌め工程の後で実施されることを特徴とする。
【００１２】
請求項４に係る発明は、周方向に成形凹部と成形凸部とが交互に配置されている鍛造用金型であって、
前記成形凸部に穴が設けられ、前記穴には、前記成形凸部より硬度の高いピンが嵌められていることを特徴とする。
【００１３】
請求項５に係る発明では、ピンの外径と穴の径は同じ大きさであることを特徴とする。
【００１４】
請求項６に係る発明では、穴は、成形凸部を貫通する貫通穴であることを特徴とする。
【００１５】
請求項７に係る発明では、ピンは、一端に円錐部を有する尖り先ピンであることを特徴とする。
【００１６】
請求項８に係る発明では、鍛造用金型は、中心に円筒穴を有し、成形凹部と成形凸部は円筒穴を囲むように配置され、且つ円筒穴の中心を通る中心軸に対して貫通穴の中心軸が３０°〜６０°の範囲から選択される傾斜角で傾斜しており、円錐部の円錐角は傾斜角の２倍に設定されていることを特徴とする。
【００１７】
請求項９に係る発明では、穴は底部を有する非貫通穴であり、ピンは丸先ピンであることを特徴とする。
【００１８】
請求項１０に係る発明では、鍛造用金型は、かさ歯車の鍛造に供する金型であり、ピンはかさ歯車のピッチ円上に配置されていることを特徴とする。
【発明の効果】
【００１９】
請求項１に係る発明では、成形凸部に穴を開け、この穴に硬度の高いピンを嵌める。
成形凸部より硬度の高いピンを成形凸部に付加するため、ピンが補強作用を発揮し、成形凸部を強化する。
よって、本発明によれば、容易に鍛造用金型を強化することができる強化技術が提供される。
【００２０】
請求項２に係る発明は、穴開け工程で、穴はレーザ加工で開ける。ごく硬い材質であってもレーザであれば金型に穴を開けることができる。よって、金型の材質の選択自由度が高まる。
【００２１】
請求項３に係る発明では、ピン嵌め工程後に除去工程を実施し、この除去工程でピンの突出部分を除去する。ピンの全てを穴に嵌めようとすると高度な嵌め込み技術が必要となる。この点、ピン嵌め工程で突出部分を残すことが許容されれば、ピンの一端をチャックする形式のピン打ち具が採用できる。この種のピン打ち具は安価であり、ピン嵌めに係るコストを低減することができる。
【００２２】
請求項４に係る発明では、成形凸部に穴を開け、この穴にピンを嵌める。成形凸部より硬度の高いピンを成形凸部に付加するため、ピンが補強作用を発揮し、成形凸部を強化する。
よって、本発明によれば、容易に鍛造用金型を強化することができる強化技術が提供される。
【００２３】
請求項５に係る発明では、ピンの外径と穴の径は同じ大きさであるため、穴へピンを容易に嵌めることができ、ピン嵌め工数を低減することができる。
【００２４】
請求項６に係る発明では、穴は、成形凸部を貫通する貫通穴である。穴をレーザ加工で開ける場合、底あり穴よりも貫通穴の方が、レーザ照射時間の管理が容易であり、穴開け作業が楽になる。
【００２５】
請求項７に係る発明では、ピンは、一端に円錐部を有する尖り先ピンである。先が尖っているため、穴にピンを容易に嵌めることができ、ピン嵌め作業が楽になる。
【００２６】
請求項８に係る発明では、鍛造用金型は、中心に円筒穴を有し且つ円筒穴の中心を通る中心軸に対して貫通穴の中心軸が３０°〜６０°の範囲から選択される傾斜角で傾斜しており、円錐部の円錐角は傾斜角の２倍に設定されている。円筒穴に嵌るダミー軸を準備し、このダミー軸を円筒穴に嵌める。貫通穴の一端はダミー軸で塞がれる。貫通穴の他端から尖り先ピンを嵌めると、このピンは先端がダミー軸に当たって止まる。ピン先端の傾斜角の１／２が、円筒穴の中心軸と貫通穴の中心軸のなす傾斜角と位置しているため、円錐部の円錐面が円筒穴の面と面一になる。結果、ピンの先端に除去加工を施す必要がなく、除去工数の低減を図ることができる。
【００２７】
請求項９に係る発明では、穴は底部を有する非貫通穴であり、ピンは丸先ピンである。ピンの先端に除去加工を施す必要がなく、除去工数の低減を図ることができる。
【００２８】
請求項１０に係る発明では、鍛造用金型は、かさ歯車の鍛造に供する金型であり、ピンはかさ歯車のピッチ円上に配置される。ピンの位置は重要であり、一般に強度計算を重ねるなどしてピンの位置が決定される。一方、本発明では、強度計算を行うこと無しに、ピンの位置をピッチ円上に定める。ピンの位置が一義的に決まり、面倒な計算や検討を行う必要がないため、設計費用の低減が図れる。
【図面の簡単な説明】
【００２９】
【図１】本発明に係る鍛造用金型の断面図である。
【図２】鍛造用金型の作用図である。
【図３】図２の３矢視図である。
【図４】図３の４−４線断面図である。
【図５】穴開け工程とピン嵌め工程を説明する図である。
【図６】ピンの補強効果を説明する図である。
【図７】穴開け工程と別のピン嵌め工程を説明する図である。
【図８】更なる別の穴開け工程とピン嵌め工程を説明する図である。
【図９】別の形態のピンを説明する図である。
【図１０】ピンとピッチ円の相関を説明する図である。
【発明を実施するための形態】
【００３０】
本発明の実施の形態を添付図に基づいて以下に説明する。
【実施例】
【００３１】
図１に示すように、鍛造用金型１０は、ダイ２０とパンチ３０とを備えている。
ダイ２０は、基台１１から上へ延ばした筒状ダイ２１と、この筒状ダイ２１を外から囲うと共に筒状ダイ２１に対して上下に移動するフローチングダイ２２と、基台１１に設けられフローチングダイ２２を所定の力で押し上げる油圧シリンダ２３と、基台１１を貫通し且つ筒状ダイ２１を貫通しているノックアウトピン２４と、このノックアウトピン２４を軸方向に移動するノックアウトシリンダ２５とを備えている。
【００３２】
筒状ダイ２１は、上部にワークとしてのかさ歯車４０の背面を収納する凹部２６を有する。
フローチングダイ２２は上部に環状突起２７を有する。環状突起２７は、かさ歯車４０の歯４１の外周端４２を規制する傾斜面２８を有する。
【００３３】
パンチ３０は、かさ歯車４０の正面中央部４１を窪ませるセンタパンチ３１と、このセンタパンチ３１を囲うと共に成形凸部３２及び成形凹部３３を有するリングパンチ３４と、このリングパンチ３４及びセンタパンチ３１を支えるパンチ支持板３５とを備えている。
【００３４】
ダイ２０に対してパンチ３０が相対的に移動する。相対的な移動であるから、基台１１が静止していてパンチ支持板３５が移動（昇降）するシステム、基台１１が移動しパンチ支持板３５が静止しているシステムと、基台１１及びパンチ支持板３５が共に移動するシステムの何れであってもよい。
【００３５】
基台１１が静止していてパンチ支持板３５が移動（昇降）するシステムを、例に以下説明する。
図２にて、鍛造工程が終了すると、パンチ支持板３５が上昇する。センタパンチ３１及びリングパンチ３４が一緒に上昇する。この上昇に伴って、フローチングダイ２２が一定距離上昇する。ノックアウトシリンダ２５で、ノックアウトピン２４を上げると、このノックアウトピン２４が、かさ歯車４０を突き上げダイ２０から浮かす。これで、かさ歯車４０を鍛造用金型１０から払い出すことができる。
【００３６】
図２の後に、図１に戻って鍛造が実施されるが、この鍛造のときに、成形凸部３２に大きな荷重が加わる。この荷重に対する対策を講じた例を以下に説明する。
図３に示すように、リングパンチ３４は、中心に円筒穴３６を有し、この円筒穴３６を囲う円周上に交互に配置される成形凸部３２と成形凹部３３とを備える。すなわち、成形凸部３２と成形凹部３３が周方向に交互に配置されている。さらに、成形凸部３２にピン５０が埋設されている。
【００３７】
図４に示すように、ピン５０は、先端に円錐部５１を有する尖り先ピンである。
成形凸部３２は、ＪＩＳ  Ｇ  ４４０４で規定される合金工具鋼（例えばＳＫＤ６１）で製造される。ＳＫＤ６１は焼入れ焼戻し硬さがＨＲＣ（ロックウエルＣスケール）で５３以下である。
一方、ピン５０は超硬合金で製造される。超硬合金は成分によって硬さが変化するが、ＨＲＡ（ロックウエルＡスケール）で８４以上、ＨＲＣに換算すると６５以上である。
よってピン５０は、成形凸部３２より、硬度の高い材料で造られている。
【００３８】
図５（ａ）に示すように、レーザガン５２からレーザ光５３を照射して、貫通穴５４を開ける（穴開け工程）。貫通穴５４は、レーザ加工の他、放電加工やドリルでの機械加工で開けてもよい。ただし、リングパンチ３４が特に硬い場合は、ドリルの交換頻度が高まるため、レーザ加工の方が適している。
【００３９】
図５（ｂ）に示すように、円筒穴３６と同径のダミー軸５６を円筒穴３６に嵌める。また、円筒穴３６の中心軸５７と貫通穴５４の中心軸５５とのなす傾斜角θの２倍の角度２・θを円錐角とする尖り先ピン５０を準備する。傾斜角θは３０°〜６０°の範囲から選択される。
この尖り先ピン５０の外径は貫通穴５４の穴径と同じである。
尖り先ピン５０の基部５９をピン打ち具５８でチャックして貫通穴５４に嵌める（ピン嵌め工程）。
【００４０】
このピン嵌め工程のための尖り先ピン５０の外径と貫通穴５４の穴径との関係について、説明する。
ピン嵌め工程には、軽圧入法と挿入法が適用できる。
軽圧入法では、圧入代を１％以下となるような外径の尖り先ピン５０を準備し、尖り先ピン５０をピン打ち具５８で貫通穴５４に圧入する。圧入代が１％以下であるため、圧入作業はそれほど困難ではない。
【００４１】
挿入法では、貫通穴５４と同径の尖り先ピン５０を挿入する。推奨される作業法としては、尖り先ピン５０の外径を全て計測してリストを作成する。次に、貫通穴５４の穴径を実測し、この穴径に近似した外径の尖り先ピン５０を選択し、挿入する。
【００４２】
図５（ｃ）に示すように、尖り先ピン５０の先端はダミー軸５６に当たって止まる。基部５９は成形凸部３２から外へ突出する。この突出部分６１は機械加工により切除する（除去工程）。
図５（ｄ）に示すように、円錐部５１の一面が円筒穴３６の周面と面一であるため、尖り先ピン５０の先端に除去加工を施す必用が無く。除去工程の工数を低減することができる。
【００４３】
図６にて、ピン５０の効果を説明する。
図６（ａ）に示す比較例では、成形凸部１０１にはピンが嵌められていない。成形凸部１０１の変形は予測が難しいが、ここでは、鍛造時に頂点１０２が左にＬ１だけ倒れたと仮定する。この倒れにより、成形凸部１０１の裾、すなわち成形凹部１０３、１０３に応力が集中する。応力が繰り返し集中して過大になると集中部位に亀裂が発生し、金型寿命を迎える。
【００４４】
図６（ｂ）に示す実施例では、ピン５０は成形凸部３２より硬度が高い材料で造られているため、成形凸部３２の剛性（曲げ剛性、たわみ剛性）の増大に寄与する。結果、同じ荷重が加わっても頂点６２が左にＬ２だけ倒れる。このＬ２はＬ１より格段に小さいため、成形凹部３３、３３に過大な応力が発生する心配はなく、金型の寿命を延ばすことができる。
【００４５】
図５に対する変形例を、図７で説明する。
図７（ａ）にて、図５（ａ）と同様に、貫通穴５４を開ける。
図７（ｂ）にて、貫通穴５４より十分に長いピン５０Ｂを準備する。このピン５０Ｂの先端形状は任意であるため、市販ピンをそのまま使用することができ、ピン５０Ｂの調達コストを低減することができる。
【００４６】
ピン５０Ｂを貫通穴５４に嵌める。ピン５０Ｂの先端６３と基部５９が貫通穴５４から突出する。すなわち、突出部分６１、６１はピン５０Ｂの前後に存在する。そこで、先端と基部の突出部分６１、６１を機械加工などにより切除する。切除後の形態は、図７（ｃ）に示す通りである。
図７（ｄ）に示すように、ピン５０Ｂの先端切断面６４は楕円になる。正円の丸穴である貫通穴５４に対して先端切断面６４が楕円であるため、ピン５０が空転（自転）する心配はない。
【００４７】
図５に対するさらなる変形例を、図８で説明する。
図８（ａ）に示すように、レーザ加工により、底６５を有する非貫通穴６６を開ける。
図８（ｂ）に示すように、非貫通穴６６へ、先が丸い丸先ピン５０Ｃを嵌める。丸先ピン５０Ｃは市販ピンをそのまま使用することができ、ピン５０Ｃの調達コストを低減することができる。また、丸先ピン５０Ｃを使うことにより、底６５にピン５０Ｃの角が当たらないので、応力が集中するのを防ぐことができる。
【００４８】
次に、基部５９側の突出部分６１を切除する。
レーザ加工が難しくなるため、図５、図７に示す貫通穴よりは穴開け工程における加工費が嵩む。しかし、ピン５０Ｃの先端を切除する必要がないので、除去工数における加工費の低減が図れる。
【００４９】
図９（ａ）に示すように、貫通穴５４の長さＬ３より、短い長さＬ４であるピン５０Ｄを貫通穴５４に嵌める。
図９（ｂ）に示すように、ピン５０Ｄの全てが貫通穴５４に収納される。結果、ピン５０Ｄの前後を除去する必要が無くなり、除去工数をゼロにすることができる。
【００５０】
ところで、ピン５０、５０Ｂ、５０Ｃ、５０Ｄは、成形凸部３２の任意の位置に嵌めることが可能であり、その位置は、一般に強度計算を重ねるなどして決定される。しかし、決定に要する費用を削減することができる、簡易的を次図にて提供することができる。
【００５１】
本発明の鍛造用金型で、かさ歯車を鍛造する場合には、かさ歯車にピッチ円が存在する。
そこで、図１０に示すように、成形凸部３２において、ピン５０、５０Ｂ、５０Ｃ、５０Ｄをかさ歯車のピッチ円６７上に配置する。すなわち、ピン５０、５０Ｂ、５０Ｃ、５０Ｄが成形凸部３２の幅（図面左右方向幅）Ｗの中心線６８上で且つピッチ円６７上に位置決めされる。ピン５０、５０Ｂ、５０Ｃ、５０Ｄの位置が一義的に決まり、面倒な計算や検討を行う必要がないため、設計費用の低減が図れる。
【００５２】
尚、本発明は、かさ歯車４０の鍛造に好適であるが、等速ボールジョイントのカップ部材の鍛造にも適用できる。すなわち、カップ部材は、鋼球（ボール）を収納するトラック溝が環状に配列されており、トラック溝を成形凸部で形成する。よって、ワークはかさ歯車４０に限定するものではない。
【産業上の利用可能性】
【００５３】
本発明はかさ歯車の鍛造に好適である。
【符号の説明】
【００５４】
１０…鍛造用金型、２０…ダイ、３０…パンチ、３２…成形凸部、３６…円筒穴、４０…ワーク（かさ歯車）、５０…ピン（尖り先ピン）、５０Ｂ…ピン（長いピン）、５０Ｃ…ピン（丸先ピン）、５０Ｄ…ピン（短いピン）、５１…円錐部、５２…レーザガン、５３…レーザ光、５４…穴（貫通穴）、５５…貫通穴の中心軸、５７…円筒穴の中心軸、６１…突出部分、６６…穴（非貫通穴）、６７…ピッチ円、θ…傾斜角、２・θ…円錐角。
【図１】
2015193008.tif 000003
【図２】
2015193008.tif 000004
【図３】
2015193008.tif 000005
【図４】
2015193008.tif 000006
【図５】
2015193008.tif 000007
【図６】
2015193008.tif 000008
【図７】
2015193008.tif 000009
【図８】
2015193008.tif 000010
【図９】
2015193008.tif 000011
【図１０】
2015193008.tif 000012